(57)【要約】【課題】既設ダクト内の風量を精度よく簡単に測定する。【解決手段】本発明は、既設ダクト１２内の風量を測定するための風量測定装置１０であって、既設ダクト１２のエルボ内部の内周側部分と外周側部分との差圧を計測する差圧検出部と、該差圧検出部で計測された差圧から理論式を用いて仮風量を算出し、前記既設ダクトのエルボの種類に基づき設定される補正係数を該仮風量に乗じることで前記既設ダクト内の風量を算出する演算部と、を備えていることを特徴とする。【選択図】図１
2018179892.tif 000002
【特許請求の範囲】
【請求項１】
既設ダクト内の風量を測定するための風量測定装置であって、
前記既設ダクトのエルボ内部の内周側部分と外周側部分との差圧を計測する差圧検出部と、
該差圧検出部で計測された差圧から理論式を用いて仮風量を算出し、前記既設ダクトのエルボの種類に基づき設定される補正係数を該仮風量に乗じることで前記既設ダクト内の風量を算出する演算部と、
を備えていることを特徴とする風量測定装置。
【請求項２】
前記補正係数はＡ×ＲｅＢにより求められ、Ａ及びＢは前記既設ダクトのエルボの種類に応じてそれぞれ設定され、Ｒｅはレイノルズ数である請求項１に記載の風量測定装置。
【請求項３】
前記既設ダクトのエルボの種類は、角ダクト９０度エルボ、丸ダクトのプレスベンド形９０度エルボ、丸ダクトのセクションベンド形９０度エルボのうちのいずれかであり、前記角ダクト９０度エルボの場合には前記補正係数のＡが２．０７６でＢが−０．０４４４、前記丸ダクトのプレスベンド形９０度エルボの場合には前記補正係数のＡが３．１２５でＢが−０．０８４０、前記丸ダクトのセクションベンド形９０度エルボの場合には前記補正係数のＡが１．５８１×Ｄ−０．０７３８（Ｄはダクト径）でＢが−０．０３２である請求項２に記載の風量測定装置。
【請求項４】
前記エルボの内周側外面と外周側外面には、曲り角度４５度の位置における高さ方向の中間位置に差圧計測用の測定孔がそれぞれ穿設されている請求項１〜３のいずれかの請求項に記載の風量測定装置。
【請求項５】
前記測定孔に対応する位置に取り付けられるアタッチメントを備え、
該アタッチメントは、前記測定孔に対応する丸孔を有して前記エルボの外面に貼付される基部と、該丸孔に連通するように該基部から外側に延出する円筒形状の突起部と、を備えている請求項４に記載の風量測定装置。
【請求項６】
既設ダクト内の風量を測定するための風量測定方法であって、
前記既設ダクトのエルボ内部の内周側部分と外周側部分との差圧を計測するステップと、
該計測された差圧から理論式を用いて仮風量を算出するステップと、
該算出された仮風量に、前記既設ダクトのエルボの種類に基づき設定される補正係数を乗じることで前記既設ダクト内の風量を算出するステップと、
を含むことを特徴とする風量測定方法。
【発明の詳細な説明】
【技術分野】
【０００１】
本発明は、既設ダクト内の風量を測定するための風量測定装置及び風量測定方法に関する。
【背景技術】
【０００２】
従来、既設ダクト内の風量を測定する場合、ピトー管センサを用いた風量計をダクトの間に介装したり（例えば、特許文献１又は非特許文献１参照）、或いは、多数設けた風量測定口からダクト内にそれぞれ風速計を挿入し、該各風速計により計測した風速の平均値に基づいて風量を算出したりしている（例えば、特許文献２参照）。
【先行技術文献】
【特許文献】
【０００３】
【特許文献１】特開２０１０−１１７２７６号公報
【特許文献２】特開平９−２１６６２号公報
【非特許文献】
【０００４】
【非特許文献１】ウェットマスター株式会社の製品情報のウェブサイトURL ： http://www.wetmaster.co.jp/product/detail/new_a_eye.html
【発明の概要】
【発明が解決しようとする課題】
【０００５】
しかしながら、上記したように風量計を用いる場合には、既設ダクトを切断して風量計を設置する作業を行う必要があるため、天井裏などの狭いスペースでは施工が困難であり、また、施工費用も高くなるという問題がある。
【０００６】
また、風量測定口からダクト内に挿入した風速計を用いる場合には、ダクトのサイズに応じて測定箇所が増加し、ダクト断面内の風速分布のばらつきや風速計の挿入傾きなどの取り付け不良が生じ易く、測定風量の誤差が大きくなり、測定精度が低下するという問題がある。また、ダクトサイズの大型化により、風速計などの測定機器が増加し、施工費用が増加するという問題も生じている。
【０００７】
本発明は、上記した課題を解決すべくなされたものであり、既設ダクト内の風量を精度よく簡単に測定することのできる風量測定装置及び風量測定方法を提供することを目的とするものである。
【課題を解決するための手段】
【０００８】
上記した目的を達成するため、本発明は、既設ダクト内の風量を測定するための風量測定装置であって、前記既設ダクトのエルボ内部の内周側部分と外周側部分との差圧を計測する差圧検出部と、該差圧検出部で計測された差圧から理論式を用いて仮風量を算出し、前記既設ダクトのエルボの種類に基づき設定される補正係数を該仮風量に乗じることで前記既設ダクト内の風量を算出する演算部と、を備えていることを特徴とする。
【０００９】
本発明の風量測定装置において、前記補正係数はＡ×ＲｅＢにより求められ、Ａ及びＢは前記既設ダクトのエルボの種類に応じてそれぞれ設定され、Ｒｅは仮風量から算出されるレイノルズ数である。
【００１０】
本発明の風量測定装置において、前記既設ダクトのエルボの種類は、角ダクト９０度エルボ、丸ダクトのプレスベンド形９０度エルボ、丸ダクトのセクションベンド形９０度エルボのうちのいずれかであり、前記角ダクト９０度エルボの場合には前記補正係数のＡが２．０７６でＢが−０．０４４４、前記丸ダクトのプレスベンド形９０度エルボの場合には前記補正係数のＡが３．１２５でＢが−０．０８４０、前記丸ダクトのセクションベンド形９０度エルボの場合には前記補正係数のＡが１．５８１×Ｄ−０．０７３８（Ｄはダクト径）でＢが−０．０３２である。
【００１１】
本発明の風量測定装置において、前記エルボの内周側外面と外周側外面には、曲り角度４５度の位置における高さ方向の中間位置に差圧計測用の測定孔がそれぞれ穿設されている。
【００１２】
本発明の風量測定装置は、前記測定孔に対応する位置に取り付けられるアタッチメントを備え、該アタッチメントは、前記測定孔に対応する丸孔を有して前記エルボの外面に貼付される基部と、該丸孔に連通するように該基部から外側に延出する円筒形状の突起部と、を備えている。
【００１３】
本発明は、既設ダクト内の風量を測定するための風量測定方法であって、前記既設ダクトのエルボ内部の内周側部分と外周側部分との差圧を計測するステップと、該計測された差圧から理論式を用いて仮風量を算出するステップと、該算出された仮風量に、前記既設ダクトのエルボの種類に基づき設定される補正係数を乗じることで前記既設ダクト内の風量を算出するステップと、を含むことを特徴とする。
【発明の効果】
【００１４】
本発明によれば、既設ダクト内の風量を精度よく簡単に測定することができる等、種々の優れた効果を得ることができる。
【図面の簡単な説明】
【００１５】
【図１】本発明の実施の形態に係る風量測定装置を示す概略構成図である。
【図２】本発明の実施の形態に係る風量測定装置のアタッチメントを示す斜視図である。
【図３】本発明の実施の形態に係る風量測定装置のアタッチメントをダクトに取り付けた状態を示す断面図である。
【図４】本発明の実施の形態に係る風量測定装置のアタッチメントを角ダクト９０度エルボに取り付ける位置を示す説明図である。
【図５】本発明の実施の形態に係る風量測定装置のアタッチメントを丸ダクトのプレスベンド形９０度エルボに取り付ける位置を示す説明図である。
【図６】本発明の実施の形態に係る風量測定装置のアタッチメントを丸ダクトのプレスベンド形９０度エルボに取り付ける位置を示す概略説明図である。
【図７】本発明の実施の形態に係る風量測定装置において丸ダクトのセクションベンド形９０度エルボの場合にアタッチメントを取り付ける位置を示す説明図である。
【図８】本発明の実施の形態に係る風量測定装置のアタッチメントを丸ダクトのセクションベンド形９０度エルボに取り付ける位置を示す概略説明図である。
【図９】本発明の実施の形態に係る風量測定方法を示すフローチャートである。
【図１０】本発明の実施の形態に係る風量測定方法においてエルボの種類に基づき設定される補正係数を示す図である。
【図１１】本発明の実施の形態に係る風量測定方法を角ダクト９０度エルボに適用した場合の測定結果を示すグラフである。
【図１２】本発明の実施の形態に係る風量測定方法を角ダクト９０度エルボに適用した場合の測定結果を示すグラフである。
【図１３】本発明の実施の形態に係る風量測定方法を丸ダクトのプレスベンド形９０度エルボに適用した場合の測定結果を示すグラフである。
【図１４】本発明の実施の形態に係る風量測定方法を丸ダクトのプレスベンド形９０度エルボに適用した場合の測定結果を示すグラフである。
【図１５】本発明の実施の形態に係る風量測定方法を丸ダクトのセクションベンド形９０度エルボに適用した場合の測定結果を示すグラフである。
【図１６】本発明の実施の形態に係る風量測定方法を丸ダクトのセクションベンド形９０度エルボに適用した場合の測定結果を示すグラフである。
【発明を実施するための形態】
【００１６】
以下、図面を参照しつつ、本発明の実施の形態に係る風量測定装置について説明する。ここで、図１は本発明の実施の形態に係る風量測定装置を示す概略構成図、図２は風量測定装置のアタッチメントを示す斜視図、図３は風量測定装置のアタッチメントをダクトに取り付けた状態を示す断面図、図４は風量測定装置のアタッチメントを角ダクト９０度エルボに取り付ける位置を示す説明図、図５は風量測定装置のアタッチメントを丸ダクトのプレスベンド形９０度エルボに取り付ける位置を示す説明図、図６は風量測定装置のアタッチメントを丸ダクトのプレスベンド形９０度エルボに取り付ける位置を示す概略説明図、図７は風量測定装置において丸ダクトのセクションベンド形９０度エルボの場合にアタッチメントを取り付ける位置を示す説明図、図８は風量測定装置のアタッチメントを丸ダクトのセクションベンド形９０度エルボに取り付ける位置を示す概略説明図である。
【００１７】
図１に示されているように、本発明の実施の形態に係る風量測定装置１０は、測定装置本体１１と、測定装置本体１１と既設ダクト１２のエルボ１３との間にそれぞれ配設される第１の静圧導管１４と第２の静圧導管１５と、を備えて構成されている。
【００１８】
測定装置本体１１は、差圧検出部１６と、演算部１７と、入出力部１８と、記憶部１９と、表示部２０と、を備えて構成されている。
【００１９】
差圧検出部１６は、既設ダクト１２のエルボ１３内部の内周側部分と外周側部分との差圧を、例えばダイヤフラム膜を使用して静電容量の変化量で計測する差圧計などにより構成されている。演算部１７は、差圧検出部１６で計測された差圧に基づき既設ダクト１２内の風量を算出するように構成されている。入出力部１８は、既設ダクト１２のエルボ１３の種類、サイズ、曲率半径、計測時間、及び開始停止（オンオフ）の入力や、算出された風量の出力などを行うように構成されている。記憶部１９は、入出力部１８から入力された、既設ダクト１２のエルボ１３の種類、サイズ、曲率半径、計測時間や、理論式、補正係数、レイノルズ数、算出された風量などを記憶するように構成されている。表示部２０は、算出された風量の表示などを行うように構成されている。
【００２０】
第１の静圧導管１４は、測定装置本体１１と既設ダクト１２のエルボ１３の内周側部分との間に配設され、第２の静圧導管１５は、測定装置本体１１と既設ダクト１２のエルボ１３の外周側部分との間に配設されている。既設ダクト１２の内周側部分と外周側部分には、それぞれ、測定孔２１が穿設され、これらの測定孔２１に第１の静圧導管１４と第２の静圧導管１５の各先端が装着される。
【００２１】
なお、図１は、既設ダクト１２のエルボ１３が丸ダクトのプレスベンド形９０度エルボの場合について例示しているが、エルボ１３は、角ダクト９０度エルボや丸ダクトのセクションベンド形９０度エルボ等、他の種類のエルボであってもよい。
【００２２】
図２及び図３に示されているように、風量測定装置１０は、測定孔２１に対応する位置に取り付けられるゴム製又はプラスチック製のアタッチメント２２を備えており、このアタッチメント２２を介して第１の静圧導管１４及び第２の静圧導管１５が測定孔２１に装着されるようになっている。
【００２３】
このアタッチメント２２は、円形板状の基部２３と、基部２３の中心から該基部２３に直交する方向に延出する円筒形状の突起部２４と、により構成されている。基部２３の中心には突起部２４の中空部に連通するように丸孔２５が形成されている。突起部２４は、例えば、２５ｍｍの長さを有し、外形が６ｍｍで内径が３ｍｍとなるように形成されている。図３に良く示されているように、アタッチメント２２は、丸孔２５を測定孔２１に合わせて基部２３をエルボ１３の外面に接着剤で貼付することにより突起部２４が外側に延出した姿勢を保持するようになっている。
【００２４】
図４に示されているように、既設ダクト１２のエルボ１３が角ダクト９０度エルボであって、その高さＨが３００ｍｍ以下の場合には、エルボ１３の内周側部分及び外周側部分の曲り角度４５度の位置において、それぞれ１／２Ｈの高さに１箇所ずつ、測定孔２１（図３参照）及びアタッチメント２２を取り付けるのが好ましい（図４の実線参照）。
【００２５】
また、既設ダクト１２のエルボ１３が角ダクト９０度エルボであって、その高さＨが３００ｍｍを超える場合には、エルボ１３の内周側部分及び外周側部分の曲り角度４５度の位置において、それぞれ１／２Ｈの高さに加えてＨ／６と５Ｈ／６の高さに合計３箇所ずつ、測定孔２１（図３参照）及びアタッチメント２２を取り付けるのが好ましい（図４の実線及び破線参照）。
【００２６】
図５及び図６に示されているように、既設ダクト１２のエルボ１３が丸ダクトのプレスベンド形９０度エルボの場合には、エルボ１３の内周側部分及び外周側部分の曲り角度４５度の位置における高さ方向の中間位置に、測定孔２１（図３参照）及びアタッチメント２２を取り付けるのが好ましい。しかし、丸ダクトのプレスベンド形９０度エルボの高さ方向の中間位置には、水平方向に接合部２６（図６参照）が形成されているため、この接合部２６を挟んで上下対称位置であって接合部２６にできる限り近い位置（例えば、接合部２６の上下１０ｍｍ以内）に、測定孔２１（図３参照）及びアタッチメント２２をそれぞれ取り付けるのが好ましい。
【００２７】
図７及び図８に示されているように、既設ダクト１２のエルボ１３が丸ダクトのセクションベンド形９０度エルボの場合には、エルボ１３の内周側部分及び外周側部分の曲り角度４５度の位置における高さ方向の中間位置に、測定孔２１（図３参照）及びアタッチメント２２を取り付けるのが好ましい。しかし、丸ダクトのセクションベンド形９０度エルボが偶数ピース（例えば、４ピース）で構成されている場合には、曲り角度４５度の位置に、鉛直方向に接合部２７（図８参照）が形成されているため、この接合部２７を挟んで左右対称位置であって接合部２７にできる限り近い位置（例えば、接合部２７の左右１０ｍｍ以内）に、測定孔２１（図３参照）及びアタッチメント２２をそれぞれ取り付けるのが好ましい。
【００２８】
なお、測定精度をより向上させるためには、エルボ１３の気流方向の上流側に５Ｄ、下流側に２Ｄの距離をそれぞれ確保することが好ましい（但し、Ｄはダクト１２の直径又は相当径）。また、ダクト１２内の測定風速は０〜２０ｍ/ｓの範囲、角ダクトの場合のダクト１２の高さと幅はそれぞれ１００〜３，０００ｍｍの範囲、丸ダクトの場合のダクト１２の直径は１００〜１，５００ｍｍの範囲であることが好ましいが、本発明の適用がこれらの範囲に限定されるものではない。
【００２９】
次に、主に図９及び図１０を参照しつつ、本発明の実施の形態に係る風量測定方法について説明する。ここで、図９は本発明の実施の形態に係る風量測定方法を示すフローチャート、図１０は風量測定方法においてエルボの種類に基づき決定される補正係数を示す図である。
【００３０】
まず、図９のステップＳ１０に示されているように、予め、入出力部１８より、既設ダクト１２のエルボ１３の種類、サイズ（幅Ｗ、高さＨ、直径Ｄ）、曲率半径Ｒ、及び計測時間（又は計測回数）などが入力される。
【００３１】
そして、入出力部１８から測定開始（オン）の入力が行われると、次のステップＳ２０に進み、差圧検出部１６によって、エルボ１３内部の内周側部分と外周側部分との差圧が計測される。具体的には、差圧検出部１６では、例えば、第１の静圧導管１４と第２の静圧導管１５を介してそれぞれ作用した静圧によってダイヤフラム膜が変位し、この変位に応じて変化した静電容量に基づいて差圧が測定される。なお、この時の差圧は、一般的に、エルボ１３内風速が１０ｍ／ｓで１５０Ｐａ程度である。
【００３２】
次いで、ステップＳ３０において、差圧検出部１６で計測された差圧から、公知なベルヌーイの理論式を用いて、仮風量Ｑが演算部１７によって算出される。この時の理論式は、上記ステップＳ１０において入力されたエルボ１３の種類に応じて、記憶部１９に格納されている以下の理論式（１）と（２）のいずれかの理論式が演算部１７によって選択され、角ダクト９０度エルボの場合には、理論式（１）が使用され、丸ダクト９０度エルボの場合には、理論式（２）が使用される。
【００３３】
・理論式（１）
2018179892.tif 000003
・理論式（２）
2018179892.tif 000004
【００３４】
ここで、Ｑ：風量（ｍ３／ｓ）
Ｓ：ダクト（エルボ）の断面積（ｍ２）
ｈ：差圧（Ｐａ）
Ｒ：エルボの曲率半径（ｍ）
Ｗ：ダクト（エルボ）幅（ｍ）
Ｄ：ダクト（エルボ）の直径（ｍ）
ρ：空気の密度（ｋｇ／ｍ３）
【００３５】
また、ステップＳ４０において、上記ステップＳ１０において入力されたエルボ１３の種類に応じて予め設定されている係数Ａ，Ｂと仮風量から算出されるレイノルズ数Ｒｅから、記憶部１９に格納されている次式を用いて、補正係数Ｋが演算部１７によって算出される。なお、補正係数Ｋは、エルボ１３の種類や直径Ｄに応じて算出された値が予め記憶部１９に格納されていてもよく、この場合には、補正係数Ｋは、演算部１７によって、その都度算出されることなく、入力されたエルボ１３の種類に応じて記憶部１９から取得されてもよい。
【００３６】
Ｋ＝Ａ×ＲｅＢ
【００３７】
ここで、図１０に示されているように、エルボ１３の種類が、角ダクト９０度エルボの場にはＡが２．０７６でＢが−０．０４４４、丸ダクトのプレスベンド形９０度エルボの場合にはＡが３．１２５でＢが−０．０８４０、丸ダクトのセクションベンド形９０度エルボの場合にはＡが１．５８１×Ｄ−０．０７３８（Ｄはダクト径）でＢが−０．０３２に設定される。
【００３８】
このようにして仮風量Ｑ及び補正係数Ｋが得られると、次のステップＳ５０に進み、演算部１７によって、仮風量Ｑに補正係数Ｋを乗じることで既設ダクト１２（エルボ１３）内の風量が算出される。そして、算出された風量は表示部２０に表示される。
【００３９】
次のステップＳ６０では、上記ステップＳ１０において入力された所定の計測時間（又は計測回数）に到達したかどうかが判断される。その結果、所定の計測時間（又は計測回数）に到達していないと判断されると、上記ステップ２０に戻り、所定の計測時間（又は計測回数）に到達する迄、上記した風量測定処理の各ステップＳ２０〜Ｓ５０が繰り返し行われる。一方、ステップＳ６０において、所定の計測時間（又は計測回数）に到達したと判断されると、上記風量測定処理は終了となる。なお、風量測定処理は、所定の計測時間（又は計測回数）に到達したかどうかによらず、入出力部１８から測定停止（オフ）の入力を行うことにより終了させることもできる。
【００４０】
図１１及び図１２は上記した本発明の実施の形態に係る風量測定方法を幅及び高さがそれぞれ３００ｍｍの角ダクト９０度エルボに適用した場合の測定結果を示すグラフである。図１１では、時間（秒）の経過に従って変動する実風量（ｍ３／ｈ）を一点鎖線で示すと共に測定風量（ｍ３／ｈ）を実線で示しており、図１１に示す測定結果によれば、測定風量が実風量に精度良く追従していることが分かる。また、図１２では、時間（秒）の経過に従って変動する風速（ｍ／ｓ）を一点鎖線で示すと共に実風量と測定風量との風量比（誤差）を実線で示しており、図１２に示す測定結果によれば、風速が１〜８（ｍ／ｓ）の範囲で変化する状況において実風量と測定風量との風量比（誤差）がほぼ±５％以内（９５〜１０５％の間）に収まっていることが分かる。なお、図１１及び図１２に示す測定結果の他に発明者が行ったコンピュータシミュレーションの結果によれば、上記した角ダクトのサイズや風速の範囲によらず、同様の追従性及び精度を達成可能であることも分かっている。
【００４１】
図１３及び図１４は上記した本発明の実施の形態に係る風量測定方法を直径が２００ｍｍの丸ダクトのプレスベンド形９０度エルボに適用した場合の測定結果を示すグラフである。図１３では、時間（秒）の経過に従って変動する実風量（ｍ３／ｈ）を一点鎖線で示すと共に測定風量（ｍ３／ｈ）を実線で示しており、図１３に示す測定結果によれば、測定風量が実風量に精度良く追従していることが分かる。また、図１４では、時間（秒）の経過に従って変動する風速（ｍ／ｓ）を一点鎖線で示すと共に実風量と測定風量との風量比（誤差）を実線で示しており、図１４に示す測定結果によれば、風速が１〜１０（ｍ／ｓ）の範囲で変化する状況において実風量と測定風量との風量比（誤差）がほぼ±５％以内（９５〜１０５％の間）に収まっていることが分かる。なお、図１３及び図１４に示す測定結果の他に発明者が行ったコンピュータシミュレーションの結果によれば、上記した角ダクトのサイズや風速の範囲によらず、同様の追従性及び精度を達成可能であることも分かっている。
【００４２】
図１５及び図１６は上記した本発明の実施の形態に係る風量測定方法を直径が３００ｍｍの丸ダクトのセクションベンド形９０度エルボに適用した場合の測定結果を示すグラフである。図１５では、時間（秒）の経過に従って変動する実風量（ｍ３／ｈ）を一点鎖線で示すと共に測定風量（ｍ３／ｈ）を実線で示しており、図１５に示す測定結果によれば、測定風量が実風量に精度良く追従していることが分かる。また、図１６では、時間（秒）の経過に従って変動する風速（ｍ／ｓ）を一点鎖線で示すと共に実風量と測定風量との風量比（誤差）を実線で示しており、図１６に示す測定結果によれば、風速が１〜１０（ｍ／ｓ）の範囲で変化する状況において実風量と測定風量との風量比（誤差）がほぼ±５％以内（９５〜１０５％の間）に収まっていることが分かる。なお、図１５及び図１６に示す測定結果の他に発明者が行ったコンピュータシミュレーションの結果によれば、上記した角ダクトのサイズや風速の範囲によらず、同様の追従性及び精度を達成可能であることも分かっている。
【００４３】
上記したように本発明の実施の形態に係る風量測定装置及び風量測定方法によれば、コミッショニングを行う際、高精度（測定精度±５％以内）でダクト１２（エルボ１３）内の風量を測定することができる。
【００４４】
また、エルボ１３の内周側部分と外周側部分の最小限の測定点（エルボの種類によっては１点）の差圧を計測することで風量測定を行うことができ、１回の測定回数で済ませることもできるため、測定作業の簡略化を図ることができる。また、測定精度をさらに向上させたい等の必要に応じて、連続して測定することも可能となる。
【００４５】
さらに、エルボ１３の内周側部分と外周側部分に穿設した小径（３〜５ｍｍ程度）の測定孔２１に対応させてアタッチメント２２を接着し、第１及び第２の静圧導管１４，１５を装着するだけで風量測定装置１０の取り付け作業を行うことができる。すなわち、既設ダクト１２に対するこれらの取り付け作業を、狭いスペースでも簡単に行うことができ、既設ダクト１２のサイズの大小に拘わらず、同じ安価な費用で行うことができる。
【００４６】
なお、上記した本発明の実施の形態の説明は、本発明に係る風量測定装置及び風量測定方法における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４７】
１０    風量測定装置
１２    既設ダクト
１３    エルボ
１６    差圧検出部
１７    演算部
２１    測定孔
２２    アタッチメント
２３    基部
２４    突起部
【図１】
2018179892.tif 000005
【図２】
2018179892.tif 000006
【図３】
2018179892.tif 000007
【図４】
2018179892.tif 000008
【図５】
2018179892.tif 000009
【図６】
2018179892.tif 000010
【図７】
2018179892.tif 000011
【図８】
2018179892.tif 000012
【図９】
2018179892.tif 000013
【図１０】
2018179892.tif 000014
【図１１】
2018179892.tif 000015
【図１２】
2018179892.tif 000016
【図１３】
2018179892.tif 000017
【図１４】
2018179892.tif 000018
【図１５】
2018179892.tif 000019
【図１６】
2018179892.tif 000020
【手続補正書】
【提出日】平成29年12月25日(2017.12.25)
【手続補正１】
【補正対象書類名】特許請求の範囲
【補正対象項目名】全文
【補正方法】変更
【補正の内容】
【特許請求の範囲】
【請求項１】
既設ダクト内の風量を測定するための風量測定装置であって、
前記既設ダクトのエルボ内部の内周側部分と外周側部分との差圧を計測する差圧検出部と、
該差圧検出部で計測された差圧から理論式を用いて仮風量を算出し、前記既設ダクトのエルボの種類に基づき設定される補正係数を該仮風量に乗じることで前記既設ダクト内の風量を算出する演算部と、
を備え、
前記補正係数はＡ×ＲｅＢにより求められ、Ａ及びＢは前記既設ダクトのエルボの種類に応じてそれぞれ設定され、Ｒｅはレイノルズ数であることを特徴とする風量測定装置。
【請求項２】
前記既設ダクトのエルボの種類は、角ダクト９０度エルボ、丸ダクトのプレスベンド形９０度エルボ、丸ダクトのセクションベンド形９０度エルボのうちのいずれかであり、前記角ダクト９０度エルボの場合には前記補正係数のＡが２．０７６でＢが−０．０４４４、前記丸ダクトのプレスベンド形９０度エルボの場合には前記補正係数のＡが３．１２５でＢが−０．０８４０、前記丸ダクトのセクションベンド形９０度エルボの場合には前記補正係数のＡが１．５８１×Ｄ−０．０７３８（Ｄはダクト径）でＢが−０．０３２である請求項１に記載の風量測定装置。
【請求項３】
前記エルボの内周側外面と外周側外面には、曲り角度４５度の位置における高さ方向の中間位置に差圧計測用の測定孔がそれぞれ穿設されている請求項１又は２に記載の風量測定装置。
【請求項４】
前記測定孔に対応する位置に取り付けられるアタッチメントを備え、
該アタッチメントは、前記測定孔に対応する丸孔を有して前記エルボの外面に貼付される基部と、該丸孔に連通するように該基部から外側に延出する円筒形状の突起部と、を備えている請求項３に記載の風量測定装置。
【請求項５】
既設ダクト内の風量を測定するための風量測定方法であって、
前記既設ダクトのエルボ内部の内周側部分と外周側部分との差圧を計測するステップと、
該計測された差圧から理論式を用いて仮風量を算出するステップと、
該算出された仮風量に、前記既設ダクトのエルボの種類に基づき設定される補正係数を乗じることで前記既設ダクト内の風量を算出するステップと、
を含み、
前記補正係数はＡ×ＲｅＢにより求められ、Ａ及びＢは前記既設ダクトのエルボの種類に応じてそれぞれ設定され、Ｒｅはレイノルズ数であることを特徴とする風量測定方法。